(57)【特許請求の範囲】
【請求項１】
所定箇所に着脱自在に装着可能な中継コネクタと、この中継コネクタに着脱自在に接続される挿抜タイプの接続プラグとを有して構成される接続構造に用いられる中継コネクタ共抜防止装置であって、
前記中継コネクタに、該中継コネクタの着脱方向と垂直をなす軸に対して回動可能な対をなす挟持片を設け、前記中継コネクタと前記接続プラグとの接続は、前記接続プラグのプラグ端子を前記挟持片で挟み込むことによって形成され、前記中継コネクタのプラグ端子と前記接続プラグのプラグ端子とが平行である場合に前記挟持片の間隔を広くし、前記中継コネクタのプラグ端子と前記接続プラグのプラグ端子とが平行でない場合に前記挟持片の間隔を狭くすることを特徴とする中継コネクタ共抜防止装置。
【請求項２】
前記対をなす挟持片は、その外側に配された対をなすガイド部材の内側に摺動自在に配置され、前記挟持片の間隔は、前記ガイド部材の対向面間の距離を前記挟持片の摺動方向で変化させることによって変えられることを特徴とする請求項１記載の中継コネクタ共抜防止装置。
【発明の詳細な説明】
【技術分野】
【０００１】
本発明は、例えば、通信設備の保守点検時等でのレベル測定時に、測定コードの接続プラグを接続するために用いられるＵリンクなどの中継コネクタの脱離を防止する装置、より詳しくは、挿抜タイプの接続プラグを中継コネクタから引き抜く際に中継コネクタが共抜けすることを防止する共抜防止装置に関する。
【背景技術】
【０００２】
通信設備の保守点検等でのレベル測定時には、設備の測定部に適した測定コードを選定し、この測定コードの接続プラグを測定部に装着してレベル測定を実施している。通信設備の測定部においては、その大半が標準化されており、使用する測定コードも挿抜タイプのコードが主流となっており、また、測定部は、通信設備に対して着脱可能なＵリンク等の中継コネクタで構成される場合が多い。
【０００３】
例えば、下記の特許文献１に示されるＵリンクにあっては、プリント基板と対峙する面にプリント基板の回路と接続するピンを設け、また、プリント基板の端面と平行に差込口（挿入ソケット）を設け、この差込口に測定器に接続された測定コードの接続プラグを接続するようにしている。
【０００４】
また、特許文献２に示される構成においては、所定箇所に着脱自在に装着可能な中継コネクタと、この中継コネクタに着脱自在に接続される挿抜タイプの接続プラグとを有して構成される接続構造において、接続プラグに、該接続プラグの引き抜き時に前記中継コネクタを装着方向へ押圧しつつ自身を中継コネクタから脱離可能にする付勢機構を設け、この付勢機構を作業者が操作することにより、中継コネクタが接続プラグと共に引き抜かれることを防止する構成が提案されている。
【０００５】
【特許文献１】実開平５−６６８８８号公報
【特許文献２】特開２００６−２５３００６号公報
【発明の開示】
【発明が解決しようとする課題】
【０００６】
しかしながら、前者の構成においては、接続プラグがプリント基板の端面と平行をなす差込口に取り付けられるので、接続プラグの引き抜き時にＵリンクが共抜けすることは殆んどないものの、プリント基板の端面と平行に接続プラグを着脱させる構成であるので、他のＵリンクが近接する場合や周辺に障害物がある場合には、接続プラグが他のＵリンクの邪魔になり、また接続プラグの着脱作業がしづらくなるという不都合がある。
【０００７】
この点、後者の構成においては、近接して他のＵリンクが設けられている場合や障害物がある場合においてもＵリンクの共抜けを有効に回避することが可能となるが、共抜けを防止するためには、接続プラグに設けられた付勢機構を作業者が操作しなければならず、うっかりして操作を忘れると、Ｕリンクが接続プラグと共に抜けてしまう不都合がある。
【０００８】
通信設備のレベル測定は、設備の運用に支障をきたすことなく運転中に行なわれるので、Ｕリンクが抜けてしまうと、運転状態にある設備の通信回線が遮断され、最悪の場合には、電気所の監視制御が不能になる虞がある。このため、通信設備の測定部がＵリンクのように着脱式である場合には、測定コードの接続プラグを引き抜く際に所定の操作を忘れないように細心の注意を払う必要があり、特に、測定箇所が多数ある場合には、作業負担が大きくなるものであった。
【０００９】
本発明は、かかる事情に鑑みてなされたものであり、中継コネクタを介して接続プラグを接続する場合に、接続プラグを引き抜く際に生じ得る中継コネクタの共抜けを作業者の通常の引き抜き動作において防止することが可能であり、また、人為的なミスによる中継コネクタの共抜けを防止して作業負担を低減することが可能であり、しかも他の中継コネクタの邪魔にならずに接続プラグの挿抜作業を容易行うことが可能な中継コネクタ共抜防止装置を提供することを主たる課題としている。
【課題を解決するための手段】
【００１０】
上記課題を達成するために、この発明に係る中継コネクタ共抜防止装置は、所定箇所に着脱自在に装着可能な中継コネクタと、この中継コネクタに着脱自在に接続される挿抜タイプの接続プラグとを有して構成される接続構造に用いられる装置であって、中継コネクタに、該中継コネクタの着脱方向と垂直をなす軸に対して回動可能な対をなす挟持片を設け、前記中継コネクタと前記接続プラグとの接続は、前記接続プラグのプラグ端子を前記挟持片で挟むことによって形成され、前記中継コネクタのプラグ端子と前記接続プラグのプラグ端子とが平行である場合に前記挟持片の間隔を広くし、前記中継コネクタのプラグ端子と前記接続プラグのプラグ端子とが平行でない場合に前記挟持片の間隔を狭くすることを特徴としている。
【００１１】
したがって、このような構成によれば、中継コネクタのプラグ端子と前記接続プラグのプラグ端子とが平行である場合には、挟持片の間隔が広くなり、接続プラグのプラグ端子を中継コネクタの挟持片で挟持する力は小さくなるか生じなくなるので、中継コネクタの所定箇所への装着状態を保持しつつ、接続プラグを中継コネクタから抜き取ることが可能となる。
【００１２】
これに対して、中継コネクタのプラグ端子と接続プラグのプラグ端子とが平行でない場合には、挟持片の間隔が狭められ、接続プラグのプラグ端子を中継コネクタの挟持片で挟持する力は大きくなるので、接続プラグから中継プラグが抜けにくくなる。また、この状態で接続プラグが引き抜かれても、中継コネクタのプラグ端子と接続プラグのプラグ端子とは平行でないため（中継コネクタの着脱方向と接続プラグの着脱方向とが異なるため）、中継コネクタが接続プラグと共に抜けることはなくなる。
【００１３】
ここで、挟持片の間隔を調整する手段としては、対をなす挟持片を、その外側に配された対をなすガイド部材の内側に摺動自在に配置し、挟持片の間隔を、ガイド部材の対向面間の距離を挟持片の摺動方向で変化させることによって変えるようにしてもよい。
【発明の効果】
【００１４】
以上述べたように、本発明によれば、中継コネクタに、該中継コネクタの着脱方向と垂直をなす軸に対して回動可能な対をなす挟持片を設け、この挟持片で接続プラグのプラグ端子を挟むことによって中継コネクタと接続プラグとの接続を確保し、中継コネクタのプラグ端子と接続プラグのプラグ端子とが平行である場合に挟持片の間隔を広くし、中継コネクタのプラグ端子と接続プラグのプラグ端子とが平行でない場合に挟持片の間隔を狭くするようにしたので、中継コネクタのプラグ端子と接続プラグのプラグ端子とが平行である場合には、接続プラグの離脱方向の力は中継コネクタに作用しないか作用しても小さくなるので、接続プラグを引き抜く際に生じ得る中継コネクタの共抜けを防止することが可能となり、また、人為的なミスによる中継コネクタの共抜けもなくなる。
また、中継コネクタのプラグ端子と接続プラグのプラグ端子とが平行でない場合には、接続プラグと中継コネクタとの装着状態がしっかり保持されると共に、この状態で中継コネクタから接続プラグを離脱させる場合でも、中継コネクタの着脱方向と接続プラグの着脱方向とが異なっているので、通常の引き抜き動作において中継コネクタが接続プラグと共に抜けることはなくなり、人為的なミスによる中継コネクタの共抜けを防止することができる。また、接続プラグの着脱方向を変更できるので、他のＵリンクの邪魔にならずに接続プラグの挿抜作業を容易に行うことが可能となる。
【発明を実施するための最良の形態】
【００１５】
以下、この発明の実施形態を添付図面を参照しながら説明する。なお、図１及び図２において、参考図が示され、図３及び図４において、本発明の実施形態が示されている。
【００１６】
図１において、通信装置１の測定箇所に設けられたＵリンク２と、図示しない測定機器に接続された測定コード３の先端に設けられる接続プラグ４とが示されている。
【００１７】
Ｕリンク２は、低次群の伝送装置と伝送路の故障切り分けや、通信装置の試験・モニタ等のために使用される中継コネクタで、伝送路と通信装置１を接続し、途中に測定機器に接続された測定コードの接続プラグ４を挿抜できる構成となっており、通信装置１の所定箇所に設けられた差込口にプラグ端子２ａを挿入することで通信装置１に着脱自在に装着されている。
【００１８】
このＵリンク２には、プラグ端子２ａが設けられた装着面５から離れた斜面６に接続プラグ４のプラグ端子４ａを挿入可能とする差込口２ｂが設けられ、この差込口２ｂに挿入されたプラグ端子４ａは、内部に収容された図示しない端子受けに電気的に接続されるようになっている。
【００１９】
具体的には、プラグ端子２ａが設けられた装着面５と反対側の端面７から装着面５に対して垂設されている側面８にかけて斜面６を設け、この斜面６に中継プラグ４のプラグ端子４ａを挿入可能とする差込口２ｂを設けている。したがって、Ｕリンク２の着脱方向（α）は、Ｕリンク２を装着する端面１ａに対して垂直方向であり、接続プラグ４の着脱方向（β）は、斜面６に対して垂直方向となり、Ｕリンク２の着脱方向と接続プラグ４の着脱方向とを異ならせている。また、接続プラグ４の着脱方向（傾斜面に対して垂直方向）は、Ｕリンク２を着脱させる端面１ａ（装着面５と平行となる面）に対して傾斜させている。
【００２０】
特にこの例においては、Ｕリンク２が上下に近接して並設され、斜面６がプラグ端子２ａを設けた装着面５とは反対側の端面７からＵリンク２の下面（側面８）にかけて形成されており、したがって、接続プラグ４が、斜め下方からＵリンク２に挿着されるようになっている。
【００２１】
以上の構成において、Ｕリンク２に接続された測定コード３の接続プラグ４を引き抜く場合には、接続プラグ４を手で持ってＵリンク２から斜め下方（斜面６に対して垂直方向）へ引けばよい。Ｕリンク２のプラグ端子２ａの着脱方向（α）は、接続プラング４のプラグ端子４ａの着脱方向（β）とは異なっており、しかも接続プラグ４の着脱方向（β）はＵリンク２を着脱させる通信装置１の端面１ａに対して傾斜させているので、接続プラグ４を引いてもＵリンク２の通信装置１に対する装着状態は外れることはなく、Ｕリンク２の装着状態を保持したまま接続プラグ４をＵリンク２から抜き取ることが可能となる。したがって、接続プラグ４を引き抜く際に生じ得るＵリンク２の共抜けを作業者の通常の引き抜き動作において防止することが可能であり、また、接続プラグ３を単に引き抜けばいいため、人為的なミスによってＵリンク２の共抜けが生じることもなくなる。また、接続プラグ４は、Ｕリンク２の斜面に対して垂直方向に引き抜かれるため、他のＵリンク等が近接して設けられている場合でも、他のＵリンクの邪魔になることはなく、接続プラグ４の挿抜作業を容易に行うことが可能となる。
【００２２】
尚、上述の構成においては、Ｕリンクの着脱方向と接続プラグの着脱方向とを異ならせるために、Ｕリンク２に斜面６を１つだけ形成した例を示したが、Ｕリンク２の着脱方向と異なる方向に垂線を有する斜面を複数設け、それぞれの斜面に接続プラグ４のプラグ端子４ａを着脱可能な差込口を設けるようにしてもよい。例えば、図２に示される構成においては、Ｕリンク２に、プラグ端子２ａが設けられた装着面５とは反対側の端面７から装着面５に対して垂設している２つの対をなす側面８，９（下面および上面）にかけて斜面６，１０を形成し、それぞれの斜面６，１０に接続プラグ４のプラグ端子４ａを挿入可能とする差込口を設け、いずれかの斜面６．１０に接続プラグ４を装着できるようにしてもよい。
【００２３】
このような構成においては、Ｕリンク２に接続プラグ４の引き抜き方向が異なる複数の斜面６，１０が形成されるので、周囲の状態に合わせて支障がない方向へ接続プラグ４の着脱方向を変えることが可能となる。例えば、図２に示すように、Ｕリンク２が上下に並設された例においては、上側のＵリンク２に対して、上側の斜面１０に接続プラグ４を挿着し、下側のＵリンク２に対して、下側の斜面６に接続プラグ４を挿着させるようにしてもよい。
【００２４】
図３において、本発明の他の構成例が示されている。この例においては、装着プラグ４のプラグ端子４ａを着脱自在に装着するＵリンク２の差込口２ｂを、Ｕリンク２の着脱方向と垂直をなす軸１１に対して回動可能な可動ブロック１２に形成し、Ｕリンク２の内側に、可動ブロック１２と共に回動し、差込口２ｂから挿入された接続プラグ４のプラグ端子４ａを挟持する対をなす挟持片１５が差込口２ｂに臨む部位に設けられている。この挟持片１５は、Ｕリンク２の装着面５に設けられたプラグ端子２ａに電気的に接続されており、したがって、Ｕリンク２と接続プラグ４との接続は、接続プラグ４のプラグ端子４ａを挟持片１５で挟み込むことによって形成されるようになっている。
【００２５】
この挟持片１５は、その外側に配された対をなすガイド部材１６の内側に摺動自在に配置されており、挟持片１５の間隔は、このガイド部材１６の対向面間の距離を挟持片の摺動方向で変化させることによって変えられるようになっている。即ち、この例においては、Ｕリンク２のプラグ端子２ａと接続プラグ４のプラグ端子４ａとが平行である場合、即ち、接続プラグ４を図中の水平位置にしている場合には、ガイド部材１６の対向面間の距離を広げて挟持片１５によるプラグ端子４ａの挟持力を弱くするか無くすようにし、Ｕリンク２のプラグ端子２ａと接続プラグ４のプラグ端子４ａとが平行でない場合、即ち、接続プラグ４を上方又は下方へ移動させ、これに伴い挟持片１５を上方又は下方へ移動させた場合には、ガイド部材１６の対向面間の距離を狭めて挟持片１５によるプラグ端子４ａの挟持力を強くするようにしている。
【００２６】
したがって、Ｕリンク２のプラグ端子２ａと接続プラグ４のプラグ端子４ａとが平行である場合には、接続プラグ４がＵリンク２から外れやすくなっており、接続プラグ４を引き抜いてもＵリンク２が共抜けすることはなくなる。また、Ｕリンク２のプラグ端子２ａと接続プラグ４のプラグ端子４ａとが平行でない場合には、接続プラグ４がＵリンク２から外れにくくなっているが、この状態で接続プラグを引き抜いても、Ｕリンク２の着脱方向と接続プラグ４の着脱方向とは異なっているため、Ｕリンク２を装着箇所に保持したまま接続プラグ４のみをＵリンク２から外すことが可能となる。
【００２７】
よって、このような構成においても、接続プラグ４を引き抜く際に生じ得るＵリンク２の共抜けを作業者の通常の引き抜き動作において防止することが可能であり、また、接続プラグ４は可動ブロック１２の端面に対して垂直方向に単に引き抜けばいいため、人為的なミスによってＵリンク２の共抜けが生じることもなくなる。また、接続プラグ４は、Ｕリンク２との接続部位を上下に変位させ、接続プラグ４の着脱方向を変更することができるので、他のＵリンク等が近接して設けられている場合や周辺に障害物がある場合でも、それらと干渉することなく接続プラグ４を容易に着脱させることが可能となる。
【図面の簡単な説明】
【００２８】
【図１】図１は、本発明に係る中継コネクタ共抜防止装置の構成例を示す図であり、図１（ａ）は、中継コネクタとしてのＵリンクと接続プラグとの接続前後の状態を示す側面図であり、図１（ｂ）は、その斜視図である。
【図２】図２は、図１で示す中継コネクタ共抜防止装置の変形例を示す図であり、図２（ａ）は、中継コネクタとしてのＵリンクと接続プラグとの接続された状態を示す側面図であり、図２（ｂ）は、Ｕリンクと接続プラグとの着脱前後の状態を示す斜視図である。
【図３】図３は、本発明に係る中継コネクタ共抜防止装置の他の構成例を示す図であり、図３（ａ）は、中継コネクタとしてのＵリンクと接続プラグとの接続した状態を示す側面図であり、図３（ｂ）は、Ｕリンクの正面図であり、接続プラグを接続する可動ブロックを中央及び上方に位置させた状態を示す図である。
【符号の説明】
【００２９】
２  Ｕリンク
２ａ  プラグ端子
２ｂ  差込口
４  接続プラグ
４ａ  プラグ端子
１５  挟持片
１６  ガイド部材
【図１】
0005138087.tif 000002
【図２】
0005138087.tif 000003
【図３】
0005138087.tif 000004